【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
少なくとも１つの色変換を含む色マッピング情報を符号化する方法であって、
前記少なくとも１つの色変換によって色マップされたピクチャのビデオ信号特性を表す第１のパラメータを符号化するステップと、
前記少なくとも１つの色変換を表す第２のパラメータを符号化するステップと、
を含む前記方法。
【請求項２】
前記ピクチャが復号ピクチャである、請求項１に記載の方法。
【請求項３】
前記ビデオ信号特性を表す第１のパラメータが、次のシンタックス要素、すなわち、
色成分の黒レベルと範囲とを示すビデオ信号範囲と、
原色と、
伝達特性と、
ＲＧＢ原色からルマ信号及びクロマ信号を導出するためのマトリクス係数と、
のうちの少なくとも１つのシンタックス要素を含んでいる、請求項１又は２に記載の方法。
【請求項４】
前記ビデオ信号特性を表す第１のパラメータが、次のシンタックス要素、すなわち、
第１のシンタックス要素（ｃｏｌｏｕｒ_ｍａｐ_ｖｉｄｅｏ_ｆｕｌｌ_ｒａｎｇｅ_ｆｌａｇ）であって、該第１のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）のビデオ全範囲フラグのシンタックス要素（ｖｉｄｅｏ_ｆｕｌｌ_ｒａｎｇｅ_ｆｌａｇ）と同じセマンティクスを有している前記第１のシンタックス要素と、
第２シンタックス要素（ｃｏｌｏｕｒ_ｍａｐ_ｐｒｉｍａｒｉｅｓ）であって、該第２のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）の原色のシンタックス要素（ｃｏｌｏｕｒ_ｐｒｉｍａｒｉｅｓ）と同じセマンティクスを有している前記第２のシンタックス要素と、
第３のシンタックス要素（ｃｏｌｏｕｒ_ｍａｐ_ｔｒａｎｓｆｅｒ_ｃｈａｒａｃｔｅｒｉｓｔｉｃｓ）であって、該第３のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）の伝達特性のシンタックス要素（ｔｒａｎｓｆｅｒ_ｃｈａｒａｃｔｅｒｉｓｔｉｃｓ）と同じセマンティクスを有している前記第３のシンタックス要素と、
第４のシンタックス要素（ｃｏｌｏｕｒ_ｍａｐ_ｍａｔｒｉｘ_ｃｏｅｆｆｓ）であって、該第４のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）のマトリクス係数のシンタックス要素（ｍａｔｒｉｘ_ｃｏｅｆｆｓ）と同じセマンティクスを有している前記第４のシンタックス要素と、
のうちの少なくとも１つのシンタックス要素を含んでいる、請求項２又は３に記載の方法。
【請求項５】
色マッピング・モデルの目的を識別するための第５のシンタックス要素（ｃｏｌｏｕｒ_ｍａｐ_ｉｄ）を符号化するステップを更に含む、請求項１から４のいずれか１項に記載の方法。
【請求項６】
前記第１のパラメータ及び前記第２のパラメータがＳｕｐｐｌｅｍｅｎｔ  Ｅｎｈａｎｃｅｍｅｎｔ  Ｉｎｆｏｒｍａｔｉｏｎ（補足強化情報）メッセージ内で符号化される、請求項１から５のいずれか１項に記載の方法。
【請求項７】
第６のシンタックス要素（ｃｏｌｏｕｒ_ｍａｐ_ｃａｎｃｅｌ_ｆｌａｇ）が１に等しい場合に、色マッピング情報のＳｕｐｐｌｅｍｅｎｔ  Ｅｎｈａｎｃｅｍｅｎｔ  Ｉｎｆｏｒｍａｔｉｏｎメッセージが、出力順において先行するあらゆる、色マッピング情報のＳｕｐｐｌｅｍｅｎｔ  Ｅｎｈａｎｃｅｍｅｎｔ  Ｉｎｆｏｒｍａｔｉｏｎメッセージの持続的な有効性を取り消すことを示し、前記第６のシンタックス要素が０に等しい場合に、色マッピング情報が続くことを示す前記第６のシンタックス要素を符号化するステップを更に含む、請求項６に記載の方法。
【請求項８】
色マッピング情報のＳｕｐｐｌｅｍｅｎｔ  Ｅｎｈａｎｃｅｍｅｎｔ  Ｉｎｆｏｒｍａｔｉｏｎメッセージの持続的な有効性を規定する第７のシンタックス要素（ｃｏｌｏｒ_ｍａｐ_ｒｅｐｅｔｉｔｉｏｎ_ｐｅｒｉｏｄ）を符号化するステップを更に含む、請求項６又は７に記載の方法。
【請求項９】
少なくとも１つの色変換を含む色マッピング情報を復号する方法であって、
前記少なくとも１つの色変換によって色マップされたピクチャのビデオ信号特性を表す第１のパラメータを復号するステップと、
前記少なくとも１つの色変換を表す第２のパラメータを復号するステップと、
を含む、前記方法。
【請求項１０】
前記ピクチャが復号ピクチャである、請求項９に記載の方法。
【請求項１１】
前記ビデオ信号特性を表す第１のパラメータが、次のシンタックス要素、すなわち、
色成分の黒レベルと範囲とを示すビデオ信号範囲と、
原色と、
伝達特性と、
ＲＧＢ原色からルマ信号及びクロマ信号を導出するためのマトリクス係数と、
のうちの少なくとも１つのシンタックス要素を含んでいる、請求項９又は１０に記載の方法。
【請求項１２】
前記ビデオ信号特性を表す第１のパラメータが、次のシンタックス要素、すなわち、
第１のシンタックス要素（ｃｏｌｏｕｒ_ｍａｐ_ｖｉｄｅｏ_ｆｕｌｌ_ｒａｎｇｅ_ｆｌａｇ）であって、該第１のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）のビデオ全範囲フラグのシンタックス要素（ｖｉｄｅｏ_ｆｕｌｌ_ｒａｎｇｅ_ｆｌａｇ）と同じセマンティクスを有している前記第１のシンタックス要素と、
第２シンタックス要素（ｃｏｌｏｕｒ_ｍａｐ_ｐｒｉｍａｒｉｅｓ）であって、該第２のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）の原色のシンタックス要素（ｃｏｌｏｕｒ_ｐｒｉｍａｒｉｅｓ）と同じセマンティクスを有している前記第２のシンタックス要素と、
第３のシンタックス要素（ｃｏｌｏｕｒ_ｍａｐ_ｔｒａｎｓｆｅｒ_ｃｈａｒａｃｔｅｒｉｓｔｉｃｓ）であって、該第３のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）の伝達特性のシンタックス要素（ｔｒａｎｓｆｅｒ_ｃｈａｒａｃｔｅｒｉｓｔｉｃｓ）と同じセマンティクスを有している前記第３のシンタックス要素と、
第４のシンタックス要素（ｃｏｌｏｕｒ_ｍａｐ_ｍａｔｒｉｘ_ｃｏｅｆｆｓ）であって、該第４のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）のマトリクス係数のシンタックス要素（ｍａｔｒｉｘ_ｃｏｅｆｆｓ）と同じセマンティクスを有している前記第４のシンタックス要素と、
のうちの少なくとも１つのシンタックス要素を含んでいる、請求項１０又は１１に記載の方法。
【請求項１３】
色マッピング・モデルの目的を識別するための第５のシンタックス要素（ｃｏｌｏｕｒ_ｍａｐ_ｉｄ）を復号するステップを更に含む、請求項９から１２のいずれか１項に記載の方法。
【請求項１４】
前記第１のパラメータ及び前記第２のパラメータがＳｕｐｐｌｅｍｅｎｔ  Ｅｎｈａｎｃｅｍｅｎｔ  Ｉｎｆｏｒｍａｔｉｏｎ（補足強化情報）メッセージから復号される、請求項９から１３のいずれか１項に記載の方法。
【請求項１５】
第６のシンタックス要素（ｃｏｌｏｕｒ_ｍａｐ_ｃａｎｃｅｌ_ｆｌａｇ）が１に等しい場合に、色マッピング情報のＳｕｐｐｌｅｍｅｎｔ  Ｅｎｈａｎｃｅｍｅｎｔ  Ｉｎｆｏｒｍａｔｉｏｎメッセージが、出力順において先行するあらゆる、色マッピング情報のＳｕｐｐｌｅｍｅｎｔ  Ｅｎｈａｎｃｅｍｅｎｔ  Ｉｎｆｏｒｍａｔｉｏｎメッセージの持続的な有効性を取り消すことを示し、前記第６のシンタックス要素が０に等しい場合に、色マッピング情報が続くことを示す前記第６のシンタックス要素を復号するステップを更に含む、請求項１４に記載の方法。
【請求項１６】
色マッピング情報のＳｕｐｐｌｅｍｅｎｔ  Ｅｎｈａｎｃｅｍｅｎｔ  Ｉｎｆｏｒｍａｔｉｏｎメッセージの持続的な有効性を規定する第７のシンタックス要素（ｃｏｌｏｒ_ｍａｐ_ｒｅｐｅｔｉｔｉｏｎ_ｐｅｒｉｏｄ）を復号するステップを更に含む、請求項１４又は１５に記載の方法。
【請求項１７】
少なくとも１つの色変換を含む色マッピング情報を符号化するように構成された符号化器であって、
前記少なくとも１つの色変換によって色マップされたピクチャのビデオ信号特性を表す第１のパラメータを符号化する手段と、
前記少なくとも１つの色変換を表す第２のパラメータを符号化する手段と、
を備えた前記符号化器。
【請求項１８】
請求項１から８のいずれか１項に記載の符号化の方法のステップを実行するように構成された、請求項１７に記載の符号化器。
【請求項１９】
少なくとも１つの色変換を含む色マッピング情報を復号するように構成された復号器であって、
前記少なくとも１つの色変換によって色マップされたピクチャのビデオ信号特性を表す第１のパラメータを復号する手段と、
前記少なくとも１つの色変換を表す第２のパラメータを復号する手段と、
を備えた前記復号器。
【請求項２０】
請求項９から１６のいずれか１項に記載の復号の方法のステップを実行するように構成された、請求項１９に記載の復号器。
【請求項２１】
少なくとも１つの色変換を含む色マッピング情報を表すビデオ・ビットストリームを記憶した記憶媒体であって、前記ビデオ・ビットストリームが、前記少なくとも１つの色変換によって色マップされたピクチャのビデオ信号特性を表す第１のパラメータと前記少なくとも１つの色変換を表す第２のパラメータとを含む、前記記憶媒体。
【請求項２２】
前記ピクチャが復号ピクチャである、請求項２１に記載の記憶媒体。
【請求項２３】
前記ビデオ信号特性を表す第１のパラメータが、次のシンタックス要素、すなわち、
色成分の黒レベルと範囲とを示すビデオ信号範囲と、
原色と、
伝達特性と、
ＲＧＢ原色からルマ信号及びクロマ信号を導出するためのマトリクス係数と、
のうちの少なくとも１つのシンタックス要素を含んでいる、請求項２１又は２２に記載の記憶媒体。
【請求項２４】
前記ビデオ信号特性を表す第１のパラメータが、次のシンタックス要素、すなわち、
第１のシンタックス要素（ｃｏｌｏｕｒ_ｍａｐ_ｖｉｄｅｏ_ｆｕｌｌ_ｒａｎｇｅ_ｆｌａｇ）であって、該第１のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）のビデオ全範囲フラグのシンタックス要素（ｖｉｄｅｏ_ｆｕｌｌ_ｒａｎｇｅ_ｆｌａｇ）と同じセマンティクスを有している前記第１のシンタックス要素と、
第２シンタックス要素（ｃｏｌｏｕｒ_ｍａｐ_ｐｒｉｍａｒｉｅｓ）であって、該第２のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）の原色のシンタックス要素（ｃｏｌｏｕｒ_ｐｒｉｍａｒｉｅｓ）と同じセマンティクスを有している前記第２のシンタックス要素と、
第３のシンタックス要素（ｃｏｌｏｕｒ_ｍａｐ_ｔｒａｎｓｆｅｒ_ｃｈａｒａｃｔｅｒｉｓｔｉｃｓ）であって、該第３のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）の伝達特性のシンタックス要素（ｔｒａｎｓｆｅｒ_ｃｈａｒａｃｔｅｒｉｓｔｉｃｓ）と同じセマンティクスを有している前記第３のシンタックス要素と、
第４のシンタックス要素（ｃｏｌｏｕｒ_ｍａｐ_ｍａｔｒｉｘ_ｃｏｅｆｆｓ）であって、該第４のシンタックス要素が前記少なくとも１つの色変換によって色マップされた復号ピクチャを記述していることを除いて、Ｖｉｄｅｏ  Ｕｓａｂｉｌｉｔｙ  Ｉｎｆｏｒｍａｔｉｏｎ（ビデオ・ユーザビリティ情報）のマトリクス係数のシンタックス要素（ｍａｔｒｉｘ_ｃｏｅｆｆｓ）と同じセマンティクスを有している前記第４のシンタックス要素と、
のうちの少なくとも１つのシンタックス要素を含んでいる、請求項２２又は２３に記載の記憶媒体。
【請求項２５】
前記ビデオ・ビットストリームが、色マッピング・モデルの目的を識別するための第５のシンタックス要素（ｃｏｌｏｕｒ_ｍａｐ_ｉｄ）を更に含む、請求項２１から２４のいずれか１項に記載の記憶媒体。
【請求項２６】
前記第１のパラメータ及び前記第２のパラメータがＳｕｐｐｌｅｍｅｎｔ  Ｅｎｈａｎｃｅｍｅｎｔ  Ｉｎｆｏｒｍａｔｉｏｎ（補足強化情報）メッセージ内で符号化される、請求項２１から２５のいずれか１項に記載の記憶媒体。
【請求項２７】
前記ビデオ・ビットストリームが、第６のシンタックス要素（ｃｏｌｏｕｒ_ｍａｐ_ｃａｎｃｅｌ_ｆｌａｇ）が１に等しい場合に、色マッピング情報のＳｕｐｐｌｅｍｅｎｔ Ｅｎｈａｎｃｅｍｅｎｔ  Ｉｎｆｏｒｍａｔｉｏｎメッセージが、出力順において先行するあらゆる、色マッピング情報のＳｕｐｐｌｅｍｅｎｔ  Ｅｎｈａｎｃｅｍｅｎｔ  Ｉｎｆｏｒｍａｔｉｏｎメッセージの持続的な有効性を取り消すことを示し、前記第６のシンタックス要素が０に等しい場合に、色マッピング情報が続くことを示す前記第６のシンタックス要素を更に含む、請求項２６に記載の記憶媒体。
【請求項２８】
前記ビデオ・ビットストリームが、色マッピング情報のＳｕｐｐｌｅｍｅｎｔ  Ｅｎｈａｎｃｅｍｅｎｔ  Ｉｎｆｏｒｍａｔｉｏｎメッセージの持続的な有効性を規定する第７のシンタックス要素（ｃｏｌｏｒ_ｍａｐ_ｒｅｐｅｔｉｔｉｏｎ_ｐｅｒｉｏｄ）を更に含む、請求項２６又は２７に記載の記憶媒体。
【請求項２９】
少なくとも１つの色変換を含む色マッピング情報を送信するように構成された送信器であって、
前記少なくとも１つの色変換によって色マップされたピクチャのビデオ信号特性を表す第１のパラメータを送信する手段と、
前記少なくとも１つの色変換を表す第２のパラメータを送信する手段と、
を備えた前記送信器。